(57)【特許請求の範囲】
【請求項１】
演出を起動する起動部を備える副玩具体と、
前記副玩具体の着脱が可能な主玩具体と、を備え、
前記主玩具体は、前記起動部を動作させる動作部と、リンク機構と、前記リンク機構を介して前記動作部を駆動する操作トリガーと、を有し、
前記リンク機構は、前記操作トリガーによる一回目の前記動作部の駆動と同時に、前記操作トリガーによる前記動作部の二回目以降の駆動を無効とするロック機構を備えている、
演出出力玩具。
【請求項２】
請求項１に記載の演出出力玩具であって、
前記ロック機構は、前記操作トリガーによる前記動作部の二回目以降の駆動を有効化するためのロック解除部材を含む、
演出出力玩具。
【請求項３】
請求項２に記載の演出出力玩具であって、
前記ロック解除部材は、前記主玩具体において露出して設けられ、前記副玩具体の前記主玩具体からの着脱を検出可能である、
演出出力玩具。
【請求項４】
請求項１〜３何れか一項に記載の演出出力玩具であって、
前記リンク機構は、
前記副玩具体の装着により前記副玩具体に押されて前記主玩具体の内部に向う第１の移動が可能なロック解除部材と、
前記ロック解除部材の前記第１の移動により押圧されて前記第１の移動とは直交する方向の第２の移動が可能な第１ロック部材と、
前記第１ロック部材を移動可能に内装し前記第２の移動と同一平面上で直交する方向に移動して前記起動部のうち第１起動部を押圧する第４の移動が可能な第１部材と、
前記操作トリガーに押圧されて前記第４の移動と平行な面上を前記第４の移動と同一方向に移動して前記起動部のうち第２起動部を押圧する第３の移動が可能な第２部材と、
前記第２部材の前記第３の移動により押圧され前記第１ロック部材に接して前記第１ロック部材及び前記第１部材を前記第４の移動をさせつつ、前記第１の移動とは反対方向に移動する第５の移動が可能な第２ロック部材と、を含み、
前記操作トリガーによる前記第２部材の前記第３の移動の完了と略同時に、前記第２ロック部材と前記第１ロック部材との係合位置がずれ前記第２ロック部材が前記第２部材との係合位置から外れて前記第１ロック部材に拘束され、前記拘束と同時に前記第１ロック部材及び前記第１部材が前記第４の移動とは逆方向に戻る第６の移動が誘発される、
演出出力玩具。
【請求項５】
請求項４に記載の演出出力玩具であって、
前記第２ロック部材が前記第２部材との係合位置から外れて前記第１ロック部材に拘束された状態において、
前記副玩具体の取外しによって、前記ロック解除部材が前記第１の移動とは逆方向に移動する第７の移動をし、前記第７の移動によって前記第１ロック部材の位置規制が解除され、前記第２ロック部材は、第１ロック部材の前記拘束から解放されて前記第５の移動とは逆方向に移動する第８の移動により元の位置に戻る、
演出出力玩具。
【請求項６】
請求項１又は２に記載の演出出力玩具であって、
前記リンク機構は、
前記操作トリガーに押圧されて第１のスライド方向に移動可能な第１スライドパーツと、
前記第１スライドパーツに係合し前記第１のスライド方向の移動により第１の回動方向に回動可能な第１回動パーツと、
前記第１回動パーツを、前記第１の回動方向の回動と同時に当該回動の回動軸線方向の第２のスライド方向に移動した状態で前記第１スライドパーツとの当接位置から外す状態にて位置規制するロックパーツと、
前記第１回動パーツに付勢されて前記第１の回動方向とは逆向きの第２の回動方向に回動可能な第２回動パーツと、
前記第２回動パーツに付勢されて前記第２回動パーツの回動により前記第２回動パーツの回動面とは略直交する第３の回動方向に回動し、前記起動部を押圧する押圧移動が可能な第３回動パーツと、を含み、
前記第１回動パーツは、前記第１スライドパーツによる前記第１の回動方向と共に前記第２のスライド方向に移動し、前記第２のスライド方向に移動の終段において前記ロックパーツが係合し前記第１スライドパーツによる前記第１の回動が不能なる位置に位置規制される、
演出出力玩具。
【請求項７】
請求項６に記載の演出出力玩具であって、
前記リンク機構には、前記ロックパーツに係合し、前記第１回動パーツを前記第１スライドパーツとの当接可能な初期位置に復帰するように位置規制を解除するロック解除パーツが設けられている、
演出出力玩具。
【発明の詳細な説明】
【技術分野】
【０００１】
本発明は、演出出力玩具に関する。
【背景技術】
【０００２】
従来、演出出力玩具には所定の操作に基づいて音等を発生するものが知られている（例えば特許文献１参照）。特許文献１に記載された演出出力玩具は、タグリーダ部と、動作出力部と、記憶部と、制御部と蓋部等を備える筐体部と、この筐体部とは別体でＩＣタグを備える別部材と、等を備える。そして、筐体部のタグリーダ部に対してＩＣタグを備える別部材を近づけてＩＣタグの情報を読み込むことで発音可能に構成された発音玩具である。
【先行技術文献】
【特許文献】
【０００３】
【特許文献１】特開２０１９−１４６７８４号公報
【発明の概要】
【発明が解決しようとする課題】
【０００４】
特許文献１においては、二つの別部材を接近させることでＩＣタグの情報を読み取る構成である。このように別部材を近づけたり装着したりボタン操作をして所定の演出を開始する演出出力玩具においては、玩具の演出出力制御は、多くの場合、電子制御にて行われる。しかしながら、この種の演出出力玩具では、特定の演出が、所定電子制御のルーティンで繰り返し行われ、操作者の意に沿わない演出がされてしまうという問題があった。このような問題をソフト開発で解決しようとすると、ソフト開発に多くの時間を要するだけでなく、誤動作のリスクも残されため、この種の課題を電子制御に頼らず解決できる興趣性の高い演出出力玩具が切望されていた。
【０００５】
本発明は、演出出力の制御が確実で興趣性の高い演出出力玩具を提供することを目的とする。
【課題を解決するための手段】
【０００６】
本発明に係る演出出力玩具は、演出を起動する起動部を備える副玩具体と、前記副玩具体の着脱が可能な主玩具体と、を備え、前記主玩具体は、前記起動部を動作させる動作部と、リンク機構と、前記リンク機構を介して前記動作部を駆動する操作トリガーと、を有し、前記リンク機構は、前記操作トリガーによる一回目の前記動作部の駆動と同時に、前記操作トリガーによる前記動作部の操作を無効とするロック機構を備えている。また、本発明に係る演出出力玩具は、演出を起動する起動部を備える副玩具体と、前記副玩具体の着脱が可能な主玩具体と、を備え、前記主玩具体は、前記起動部を動作させる動作部と、リンク機構と、前記リンク機構を介して前記動作部を駆動する操作トリガーと、を有し、前記リンク機構は、前記操作トリガーによる一回目の前記動作部の駆動と同時に、前記操作トリガーによる前記動作部の二回目以降の駆動を無効とするロック機構を備えている。

【０００７】
また、本発明に係る演出出力玩具においては、前記ロック機構は、前記操作トリガーによる前記動作部の操作を有効化するためのロック解除部材を含む、ようにしてもよい。また、本発明に係る演出出力玩具においては、前記ロック機構は、前記操作トリガーによる前記動作部の二回目以降の駆動を有効化するためのロック解除部材を含む、ようにしてもよい。
【０００８】
また、本発明に係る演出出力玩具においては、
前記ロック解除部材は、前記主玩具体において露出して設けられ、前記副玩具体の前記主玩具体からの着脱を検出可能である、ようにしてもよい。
【０００９】
また、本発明に係る演出出力玩具においては、
前記リンク機構は、
前記副玩具体の装着により前記副玩具体に押されて前記主玩具体の内部に向う第１の移動が可能なロック解除部材と、
前記ロック解除部材の前記第１の移動により押圧されて前記第１の移動とは直交する方向の第２の移動が可能な第１ロック部材と、
前記第１ロック部材を移動可能に内装し前記第２の移動と同一平面上で直交する方向に移動して前記起動部のうち第１起動部を押圧する第４の移動が可能な第１部材と、
前記操作トリガーに押圧されて前記第４の移動と平行な面上を前記第４の移動と同一方向に移動して前記起動部のうち第２起動部を押圧する第３の移動が可能な第２部材と、
前記第２部材の前記第３の移動により押圧され前記第１ロック部材に接して前記第１ロック部材及び前記第１部材を前記第４の移動をさせつつ、前記第１の移動とは反対方向に移動する第５の移動が可能な第２ロック部材と、を含み、
前記操作トリガーによる前記第２部材の前記第３の移動の完了と略同時に、前記第２ロック部材と前記第１ロック部材との係合位置がずれ前記第２ロック部材が前記第２部材との係合位置から外れて前記第１ロック部材に拘束され、前記拘束と同時に前記第１ロック部材及び前記第１部材が前記第４の移動とは逆方向に戻る第６の移動が誘発される、ようにしてもよい。
【００１０】
また、本発明に係る演出出力玩具においては、
前記第２ロック部材が前記第２部材との係合位置から外れて前記第１ロック部材に拘束された状態において、
前記副玩具体の取外しによって、前記ロック解除部材が前記第１の移動とは逆方向に移動する第７の移動をし、前記第７の移動によって前記第１ロック部材の位置規制が解除され、前記第２ロック部材は、第１ロック部材の前記拘束から解放されて前記第５の移動とは逆方向に移動する第８の移動により元の位置に戻る、ようにしてもよい。
【００１１】
また、本発明に係る演出出力玩具においては、
前記リンク機構は、
前記操作トリガーに押圧されて第１のスライド方向に移動可能な第１スライドパーツと、
前記第１スライドパーツに係合し前記第１のスライド方向の移動により第１の回動方向に回動可能な第１回動パーツと、
前記第１回動パーツを、前記第１の回動方向の回動と同時に当該回動の回動軸線方向の第２のスライド方向に移動した状態で前記第１スライドパーツとの当接位置から外す状態にて位置規制するロックパーツと、
前記第１回動パーツに付勢されて前記第１の回動方向とは逆向きの第２の回動方向に回動可能な第２回動パーツと、
前記第２回動パーツに付勢されて前記第２回動パーツの回動により前記第２回動パーツの回動面とは略直交する第３の回動方向に回動し、前記起動部を押圧する押圧移動が可能な第３回動パーツと、を含み、
前記第１回動パーツは、前記第１スライドパーツによる前記第１の回動方向と共に前記第２のスライド方向に移動し、前記第２のスライド方向に移動の終段において前記ロックパーツが係合し前記第１スライドパーツによる前記第１の回動が不能なる位置に位置規制される、ようにしてもよい。
【００１２】
また、本発明に係る演出出力玩具においては、
前記リンク機構には、前記ロックパーツに係合し、前記第１回動パーツを前記第１スライドパーツとの当接可能な初期位置に復帰するように位置規制を解除するロック解除パーツが設けられている、ようにしてもよい。
【発明の効果】
【００１３】
本発明によれば、演出制御の正確性に優れ興趣性の高い演出出力玩具を提供することができる。
【図面の簡単な説明】
【００１４】
【図１】本発明の演出出力玩具の第１実施形態の斜視図である。
【図２】図１に示す演出出力玩具における主玩具体の斜視図である。
【図３】図１に示す演出出力玩具における副玩具体の斜視図である。
【図４】図３に示す副玩具体の底面を示す底面図である。
【図５】図１に示す演出出力玩具におけるリンク機構を玩具表側から見た時の分解斜視図である。
【図６】図５に示すリンク機構を玩具裏側から見た時の分解斜視図である。
【図７】図６に示すリンク機構におけるロック機構の要部拡大斜視図である。
【図８】図５に示すリンク機構の動作前の状態を示す斜視図である。
【図９】図５に示すリンク機構の動作初期の状態を示す斜視図である。
【図１０】図５に示すリンク機構の動作中段の状態を示す斜視図である。
【図１１】図５に示すリンク機構の動作終段においてロック機構が作動した状態を示す斜視図である。
【図１２】本発明の第２実施形態の主玩具体を示す斜視図である。
【図１３】図１２に示す演出出力玩具におけるリンク機構を玩具表側から見た時の分解斜視図である。
【図１４】図１３に示すリンク機構を玩具裏側から見た時の分解斜視図である。
【図１５】図１４に示すリンク機構において、ロック機構の作動前の状態を示す要部拡大斜視図である。
【図１６】図１５に示すリンク機構において、ロック機構が作動した状態を示す要部拡大斜視図である。
【発明を実施するための形態】
【００１５】
（第１実施形態）
以下、本発明の第１実施形態の演出出力玩具１について、図１〜図１１を参照して説明する。
図１は、第１実施形態の演出出力玩具１の全体を示す斜視図である。
【００１６】
図１に示すように、演出出力玩具１は、その構成を大別すると、剣の形状を模った主玩具体１０（以下、「剣１０」と云う）と、識別情報を有する矩形状のブックを模った副玩具体３０（以下、「ブック３０」と云う）と、を含む構成である。演出出力玩具１は、例えば戦うヒーローが使用する剣を模った主玩具体１０のブック装着部２３（図２参照）にブック３０を着脱して遊ぶときの演出が可能な玩具である。
【００１７】
図２は、演出出力玩具１における剣１０の斜視図である。
図２に示すように、剣１０は、例えば、片刃タイプの刃部１１と、握り部１２と、ブック装着部２３と、有した形状である。この剣１０は、内部にブック３０の情報を、検出可能な不図示の検出部、電源及び制御部を備えている。したがって、ブック３０がブック装着部２３に装着されたときに、検出部によって、ブック３０が持っている識別情報を読み取ることができる。
【００１８】
ブック装着部２３は、ブック３０を横向きに装着するように、ブック装着部２３の内側に向かって張り出す係止片２４ｍが設けられている。この係止片２４ｍは、例えば、剣上部側及び前後両側の３個設けられている。また、係止片２４ｍは、ブック３０を押し込んだ時にブック外側方向に後退するように弾性変形可能（図５参照）に構成されている。また、ブック取り出しボタン２５が設けられており、このブック取り出しボタン２５を押すことで、係止片２４ｍが動作してブック３０の取り出しが行うことができる。
【００１９】
ブック装着部２３には、握り部１２側に、操作トリガー１６により後述するリンク機構４０を介して動作可能なボタン動作部（動作部）４６，４８が設けられている。また、ブック装着部２３の底面には、ブック３０の着脱を検出可能な後述するロック解除部材４０Ｒが突出している。
【００２０】
剣１０は、その外部には、操作する部分として、電源スイッチ及び操作トリガー１６が設けられている。操作トリガー１６は、握り部１２を握った状態のままで指先にて操作可能なように、握り部１２の前方側に設けられている。
【００２１】
音出力部は、その設置については特に制限されるものでないが、例えば、刃部１１の最も幅の広い部位に配置されている。また、光出力部は、例えば、刃部１１の適所にＬＥＤ等の光源を配置して剣１０が光る演出をすることができる。
【００２２】
図３は、ブック３０の斜視図であり、図４は、ブック３０の底面を示す底面図である。
図３に示すように、ブック３０は、ブック装着部２３に固定される本体部３０ｂと、本体部３０ｂに対して開閉軸３０ｓｆを有するヒンジ部３０ｈを介して開閉動可能な開閉部３０ａと、を備えている。この開閉部３０ａは、本体部３０ｂとの間に配置されたトーションばね３８ｔによって、その回動方向に付勢されている。要するに、後述する第２起動ボタン３８ｆを操作することで、自動的に開く、見開きが可能な本の形を模した略直方体の形状に構成されている。
【００２３】
また、本体部３０ｂは、その外周の凹溝に係止片２４ｍが係合して保持される。そして、この保持状態で開閉部３０ａが回動することができる（図１の一点鎖線にて示す状態）。ブック３０は、開閉部３０ａが開いた時には、当然のことながらその開きページが現れる。この開きページには、例えば、所定のキャラクターや特別な情報の画像を表することができる。また、ブック３０内には、そのブック固有の識別情報が記録されたＩＣダグが内蔵されている。
【００２４】
図４に示すように、ブック３０の本体部３０ｂのブック底面３０ｂｂには、起動ボタン（起動部）が２個設けられている。例えば、ヒンジ部３０ｈに近い側に、音声ボタンである第１起動ボタン（第１起動部）３６ｂが設けられ、少し離れて開閉側に第２起動ボタン（第２起動部）３８ｆが設けられている。第１起動ボタン３６ｂは、このボタンが押されることで、ブック内の所定の情報に基づいた音声を出力する。また、展開ボタンである第２起動ボタン３８ｆは、このボタンが押されることで、開閉部３０ａが自動的に開く。
【００２５】
以下、演出出力玩具１の遊び方の一例について簡単に説明する。
ブック３０は、単体としても操作して音声出力をして遊ぶことができるが、遊び方のメインは、図１に示すように、剣１０に装着して遊ぶ。その場合、剣１０の電源スイッチを操作後に、ブック３０装着する。これによって、ブック３０の識別情報は剣１０側に読み取られる。
【００２６】
また、操作トリガー１６を操作すると、ブック３０は、ボタン動作部４６，４８により第１起動ボタン３６ｂ及び第２起動ボタン３８ｆが押される。これによって、開閉部３０ａが回動するのと同時に、ブック３０から最初の音声出力がされる。その後、操作トリガー１６を操作することで、最初の音声出力とは異なった音声出力、さらには、発光演出が主玩具体１０によって行うことができる。
【００２７】
ここで、操作トリガー１６は、最初の操作では、ブック３０の音声出力と開閉部３０ａの回動動作をする。しかし、その後（二回目以降）の操作では、後述するリンク機構４によりブック３０を操作することができないよう、後述するリンク機構より構成されている。
【００２８】
図５は、演出出力玩具１におけるリンク機構４０を玩具表側から見た時の分解斜視図であり、図６は、リンク機構４０を玩具裏側から見た時の分解斜視図である。また、図７は、ロック機構の要部拡大斜視図である。なお、以下図５〜図１１を参照した説明において、玩具前後方向とは主玩具体１０の長手方向を云い、玩具左右方向とは長手方向とは直交する方向で主玩具体１０の刃部１１の高さ方向（幅方向）を云う。また、玩具厚み方向とは、左右方向とは直交する方向で主玩具体１０の厚み方向を云うものとする。更に、玩具先端方向或いは玩具先端側とは、主玩具体１０の刃部１１の先端に向かった方向或いは先端側を云い、玩具後端方向或いは玩具後端側とは、玩具先端方向とは反対方向或いは反対側を云うものとする。また、玩具表側とは、ブック３０が装着される側を云い、玩具裏側とはその反対側を云う。
【００２９】
図５及び図６に示すように、リンク機構４０は、操作トリガー１６に係合して移動する第２部材４２と、第２部材４２に係合して移動する第２ロック部材４２Ｌと、第２ロック部材４２Ｌに係合して第２ロック部材４２Ｌの動きを係止する第１ロック部材４１Ｌと、第１ロック部材４１Ｌが内装された第１部材４１と、第１ロック部材４１Ｌ及び第２ロック部材４２Ｌによるロック状態を解除するロック解除部材４０Ｒと、を備えている。
【００３０】
操作トリガー１６は、その一部が握り部１２から露出し、トリガー回転軸１６ＣＬを中心にして回転操作可能に設けられている。また、トリガー回転軸１６ＣＬから玩具本体幅方向に延出されたトリガーアーム１６ａを備えている。このトリガーアーム１６ａは、そのアーム先端１６ｅが第２部材４２に係合している。
【００３１】
また、操作トリガー１６は、その背面側にはコイルばねＰ４が設けられており、操作方向（押し込み方向）とは、反対方向に付勢されている。また、操作トリガー１６の背面側には、ラバーコンタクトスイッチ１０ｓｉが設けられている。したがって、操作トリガー１６の押し込み動作によって、ラバーコンタクトスイッチ１０ｓｉがスイッチングされて各種の演出を行うことができる。
【００３２】
第２部材４２は、トリガー回転軸１６ＣＬに接近した部位（基部）から玩具先端方向に延びる第一押圧アーム４２ａと、第一押圧アーム４２ａの基部から玩具左右方向に延びる基部４２ｂと、基部４２ｂの一端側から玩具厚み方向に延出された第二押圧アーム４２ｃと、第二押圧アーム４２ｃの先端に玩具先端方向に向かって突出したボタン動作部４８と、を備えている。
【００３３】
第２部材４２は、玩具前後方向にスライド移動可能に設けられている。したがって、操作トリガー１６に連結されていることで、操作トリガー１６の押し込み操作によって玩具先端方向に向かう移動、すなわち、本実施形態で云う第３の移動Ｍ３が可能である。この第３の移動Ｍ３により、後述するように、ボタン動作部４８が起動ボタンのうち第２起動ボタン３８ｆを押圧する。また、操作トリガー１６の押し込みを止めると、コイルばねＰ４により操作トリガー１６の回転に連動して玩具後端方向に戻る。
【００３４】
第２ロック部材４２Ｌは、ブロック状の比較的小さな部材で、一端側には、第２部材４２の第一押圧アーム４２ａに係合する傾斜面４２Ｌｅ（図７参照）を有している。第２ロック部材４２Ｌは、第１部材４１及び第１ロック部材４１Ｌを玩具厚み方向に貫通し、玩具厚み方向にスライド移動可能に設けられている。また、第２ロック部材４２Ｌは、他端側がコイルばねＰ１（図５参照）によって玩具裏側にむかって付勢されている。
【００３５】
したがって、第２部材４２の第３の移動Ｍ３により押圧されることで、２方向に移動する。要するに、第２ロック部材４２Ｌは、傾斜面４２Ｌｅが押されることで、玩具表方向への移動と、第３の移動Ｍ３と同方向への移動とが生じる。また、第２ロック部材４２Ｌは、玩具先端側の側面が第１ロック部材４１Ｌに接触可能に構成されている。この結果、本実施形態で云う第５の移動Ｍ５（玩具表方向への移動）をしながら、第１ロック部材４１Ｌ及び第１部材４１を、本実施形態で云う第４の移動Ｍ４をさせることができる。
【００３６】
第１部材４１は、矩形状の本体胴部４１ａと、本体胴部４１ａから玩具先端方向に延びる先端突部４１ｔと、本体胴部４１ａから玩具後端方向に延びたのちに玩具表側に向かって延びる脚部４１ｃと、脚部４１ｃの先端において玩具先端方向に突出するボタン動作部４６と、を備えている。また、本体胴部４１ａは、第１ロック部材４１Ｌを玩具左右方向に移動可能に内装している。詳細には、本体胴部４１ａには玩具左右方向に沿った溝部４１ｇ（図７及び図８参照）が形成されている。そして、第１ロック部材４１Ｌは、溝部４１ｇに嵌合してスライド移動可能に保持されている。
【００３７】
また、第１部材４１は、玩具前後方向にスライド可能に保持されている。本体胴部４１ａは、コイルばねＰ３によって玩具後端方向に付勢されている。そして、第１部材４１は、第１ロック部材４１Ｌ及び第２ロック部材４２Ｌを介し第２部材に押圧されることによって、第１起動ボタン３６ｂを押圧する本実施形態で云う第４の移動Ｍ４が可能であり、押圧が解除されると、玩具後端方向に移動する。
【００３８】
第１ロック部材４１Ｌは、全体形状が略矩形で、矩形状の開口４１Ｌｈを有する。この開口４１Ｌｈは、前掲の第２ロック部材４２Ｌが貫通している。また、玩具前後方向の両側には、スライド突起４１Ｌｂが突出しており、このスライド突起４１Ｌｂが第１部材４１の溝部４１ｇに嵌合している（図８参照）。したがって、第１ロック部材４１Ｌは、第１部材４１のスライド面４１ｓ上を玩具左右方向にスライド移動可能に取り付けられている。
【００３９】
第１ロック部材４１Ｌは、本体胴部４１ａとの間にコイルばねＰ２により玩具左右方向の一方側へ付勢されている（図６及び図７参照）。そして、ロック解除部材４０Ｒの移動により押圧されることで、付勢力に抗して本実施形態で云う第２の移動Ｍ２をする。
【００４０】
ロック解除部材４０Ｒは、ブロック形状に構成され、玩具表側の一端側がブック装着部２３の底面から突出（図２参照）し、玩具厚み方向に移動可能に設けられている。ロック解除部材４０Ｒは、その玩具裏面側の他端部には、ロック傾斜面４０Ｒｅ（図９参照）が設けられている。このロック傾斜面４０Ｒｅは、第１ロック部材４１Ｌの開口４１Ｌｈの一端縁に係合可能である。したがって、ロック解除部材４０Ｒは、ブック３０の装着により押され玩具裏面方向に移動する。これにより、ロック傾斜面４０Ｒｅが第１ロック部材４１Ｌを押圧して、コイルばねＰ２の付勢力に抗して第１ロック部材４１Ｌの本実施形態で云う第１の移動Ｍ１が実行される。
【００４１】
上記のごとく構成されたリンク機構４０の動作について、図８〜図１１を参照して説明する。図８は、リンク機構４０動作前の状態を示す斜視図である。図９は、リンク機構４０の動作初期の状態を示す斜視図である。図１０は、リンク機構４０の動作中段の状態を示す斜視図である。図１１は、リンク機構４０の動作終段においてロック機構が作動した状態を示す斜視図である。
【００４２】
先ず、ブック３０をブック装着部２３に装着する前の状態は、図８に示すように、第２部材４２の第一押圧アーム４２ａは、その先端の先端傾斜面４２ａｅが第２ロック部材４２Ｌの傾斜面４２Ｌｅに対面した状態にある。また、リンク機構４０の他の構成要素も、各コイルばねに付勢されて所定の位置に位置している。
【００４３】
ブック３０が装着されると、ブック３０の外面が、ロック解除部材４０Ｒを玩具内側に押し込む第１の移動Ｍ１が実行される。これにより、図９に示すように、第１ロック部材４１ＬがコイルばねＰ２の付勢力に抗して第１部材４１内を玩具左右方向に沿って第２の移動Ｍ２が実行される。これにより、第１ロック部材４１Ｌは、開口４１Ｌｈの縁部に設けられた突出縁部４１Ｌｄが第２ロック部材４２Ｌの段部４２Ｌｄの玩具表側（図８において下側）に入り込む。図７を参照して更に詳しく説明すると、第２の移動Ｍ２によって、第１ロック部材４１Ｌは、突出縁部４１Ｌｄが第２ロック部材４２Ｌの窪み部４２Ｌｋ内に進入する。これにより、窪み部４２Ｌｋの壁面４２Ｌｔと突出縁部４１Ｌｄの縁部４１Ｌｅとが対面状態となる。
【００４４】
次に、操作トリガー１６を操作することで、図１０に示すように、第２部材４２によって第３の移動Ｍ３が実行される。この第３の移動Ｍ３によって第２起動ボタン３８ｆが押され、ブック３０の開閉部３０ａが開かれる。
【００４５】
また、この第３の移動Ｍ３によって、第一押圧アーム４２ａは、先端傾斜面４２ａｅが傾斜面４２Ｌｅを押しながら玩具先端方向に移動する。これによって、第１部材４１は、コイルばねＰ３の付勢力に抗して玩具先端方向に移動し、第４の移動Ｍ４が実行される。この第４の移動Ｍ４によって、第１起動ボタン３６ｂが押され、ブック３０の音声出力による演出が実行される。
【００４６】
このように、操作トリガー１６による第２部材４２の第３の移動Ｍ３の完了と略同時に、図１１に示すように、第２ロック部材４２Ｌと第１ロック部材４１Ｌとの係合位置がずれる。これは、第２ロック部材４２Ｌは、第一押圧アーム４２ａに押されることで、先端傾斜面４２ａｅと傾斜面４２Ｌｅとの当接で玩具表面側に向かって第５の移動Ｍ５（図１０参照）が実行される。この第５の移動Ｍ５によって、第２ロック部材４２Ｌの段部４２Ｌｄが第１ロック部材４１Ｌの突出縁部４１Ｌｄを乗り越えるように移動し、段部４２Ｌｄが突出縁部４１Ｌｄの玩具表側（図１１中の下側）に入り込んで係止（拘束）される。
【００４７】
第２ロック部材４２Ｌが、第２部材４２との係合位置から外れて第１ロック部材４１Ｌに拘束された状態となると、第１部材４１に対して、第一押圧アーム４２ａによる押圧がなくなる。これにより、第１部材４１は、第４の移動Ｍ４とは逆方向に戻る第６の移動Ｍ６が実行される。
【００４８】
この状態においては、操作トリガー１６を操作しても、第１部材４１は動作することはなく、ブック３０の音声は出力されない。しかし、操作トリガー１６に操作によって、ラバーコンタクトスイッチ１０ｓｉはスイッチング操作されるので、ブック３０の初期の演出以外は行うことができる。
【００４９】
ブック３０を主玩具体１０から取り外す。これによって、ロック解除部材４０Ｒは、コイルばねＰ１の付勢力によって玩具表側の方向に押しも出される、第７の移動Ｍ７が実行される。この第７の移動Ｍ７によって、第１ロック部材４１Ｌに対するロック解除部材４０Ｒの係合が外れる。これによって、第１ロック部材４１Ｌは、コイルばねＰ２の付勢力によって元の位置に押し戻され、第２ロック部材４２Ｌの拘束を解除する。この結果、第２ロック部材４２Ｌは、玩具裏面側に押し戻され、第８の移動Ｍ８が実行されて元の位置に復帰する。
【００５０】
以上述べたように、本実施形態の演出出力玩具１によれば、ブック３０による演出を不必要に繰り返すことが無くなり、ユーザーの意図とは異なる無駄な演出による興趣性の低下を回避でき、操作性の良い興趣性の高い玩具を提供できる。
【００５１】
また、本実施形態の演出出力玩具１では、リンク機構４０が、操作トリガー１６の動作を無効にするロック機構のロックを解除するロック解除部材４０Ｒが設けられているので、ロック機能を解除して元に戻すことができる。
【００５２】
また、本実施形態の演出出力玩具１では、ロック解除部材４０Ｒがブック装着部２３に露出して設けられているので、ブック３０の着脱を検出し、例えば、ブック３０の離脱動作によりロック機構を動かすことができる。この結果、ロック解除部材４０Ｒを、ブック３０の取外しと連動するロック解除機構とすることができる。
【００５３】
本実施形態の演出出力玩具１では、リンク機構４０は、操作トリガー１６の１回目の操作によって両起動ボタン３６ｂ，３８ｆが操作できるが、操作トリガー１６の２回目以降の操作ではボタン操作が出来ない。
【００５４】
また、本実施形態の演出出力玩具１では、ブック３０の取外し操作に基づくロック解除部材４０Ｒの移動により、リンク機構４０はロック状態が解除されて初期状態に戻ることができる。
【００５５】
（第２実施形態）
以下、本発明の第２実施形態の主玩具体１０について、図１２〜図１６を参照して説明する。なお、本実施形態においては、第１実施形態と同様の構成要素については、同じ符号を付して説明を省略する。また、リンク機構５０において付勢力を付与するばね部材については記載を省略する。
【００５６】
図１２は、第２実施形態の主玩具体１０を示す斜視図である。
本実施形態の主玩具体１０においては、ブック３０を立て向きに装着するブック装着部２３を備える構成である。ブック装着部２３に装着されたブック３０は、最初の操作トリガー１６の操作によって、第１実施形態と同様に、ブック３０による音声出力と同時に、ブック３０の開閉部３０ａが開かれる。なお、この場合、開閉部３０ａは、玩具前方側に向かって開かれる。また、本実施形態においては、後述するリンク機構５０によって、ボタン動作部４６，４８が動作する。操作トリガー１６の二回目以降の操作では、ブック３０が作動しないように構成されている。
【００５７】
また、以下の説明においては、第１実施形態と同様に、玩具前後方向とは主玩具体１０の長手方向、玩具左右方向とは長手方向とは直交する方向で主玩具体１０の刃部１１の高さ方向（幅方向）、更に、玩具厚み方向とは、左右方向とは直交する方向で主玩具体１０の厚み方向を云うものとする。玩具先端方向或いは玩具先端側とは、主玩具体１０の刃部１１の先端に向かった方向或いは先端の側を云い、玩具後端方向或いは玩具後端側とは、玩具先端方向とは反対方向或いは反対側を云うものとする。また、玩具表側とは、ブック３０が装着される側を云い、玩具裏側とはその反対側を云う。
【００５８】
図１３は、本実施形態の主玩具体１０におけるリンク機構５０を玩具表側から見た時の分解斜視図である。図１４は、リンク機構５０を玩具裏側から見た時の分解斜視図である。
【００５９】
リンク機構５０は、図１３及び図１４に示すように、操作トリガー１６に係合し玩具前後方向にスライド可能に設けられた第１スライドパーツ５４と、第１スライドパーツ５４に係合して所定方向に回動可能な第１回動パーツ５１Ｒと、第１回動パーツ５１Ｒを、位置規制可能なロックパーツ５９と、第１回動パーツ５１Ｒに係合して所定の方向に回動可能な第２回動パーツ５２Ｒと、第２回動パーツ５２Ｒに係合して、所定の方向に回動可能な第３回動パーツ５３Ｒと、を備えている。
【００６０】
操作トリガー１６は、その一部が握り部１２から露出し、玩具左右方向にスライド可能に設けられている。また、図示しない付勢部材により所定方向に付勢されている。また、操作トリガー１６は、操作方向（押し込み方向）とは、反対方向に付勢されている。この付勢は、操作トリガー１６自体が直接バネ等で付勢される構成であっても良いが、例えば第１スライドパーツ５４の付勢力を利用した付勢であっても良い。また、操作トリガー１６の背面側の斜め横方向には、ラバーコンタクトスイッチ１０ｓｉが設けられている。このラバーコンタクトスイッチ１０ｓｉは、操作トリガー１６の押し込み動作によって、スイッチングされて各種の演出を行うことができる。
【００６１】
第１スライドパーツ５４は、幅広な胴部５４ａと、胴部５４ａから玩具先端方向に延びる第一係合端５４ｔと、胴部５４ａから玩具後方端方向に延びる第二係合端５４ｅと、を備えている。第一係合端５４ｔには、第１回動パーツ５１Ｒと係合可能な第一傾斜面５４ｃが設けられている。第二係合端５４ｅには、操作トリガー１６と係合可能な第二傾斜面５４ｓが設けられている。第１スライドパーツ５４は、付勢部材によって玩具先端方向に付勢されている。
【００６２】
第１スライドパーツ５４は、操作トリガー１６の押込み操作（玩具左右方向のスライド移動）により、トリガー傾斜面１６ｓによって第二傾斜面５４ｓが押圧される。これによって、第１スライドパーツ５４は、玩具後方端方向に向かう本実施形態で云う第１のスライド方向Ｓ１に移動する。
【００６３】
第１回動パーツ５１Ｒは、回動軸部５１ｂと、第１スライドパーツ５４と係合する係合凸部５１ｆと、回動軸部５１ｂから玩具後方端方向に向かって延出された第１アーム部５１ａと、第１アーム部５１ａの先端部に玩具厚み方向に延びる係合軸部５１ｅと、を備えている。そして、玩具厚み方向に延びる回動軸部５１ｂの第１回転軸線Ｃ１を中心に回動可能に設けられている。また、第１回動パーツ５１Ｒは、回動軸部５１ｂが第１回転軸線Ｃ１に沿って玩具厚み方向にスライド可能に設けられていると共に、玩具裏面方向に付勢されている。
【００６４】
係合凸部５１ｆには、第１スライドパーツ５４の第一傾斜面５４ｃに対面する傾斜面に形成された第三傾斜面５１ｃ（図１６参照）が設けられている。また、係合凸部５１ｆにおいて第三傾斜面５１ｃよりも玩具表側（図１４において下側）には、第三傾斜面５１ｃが形成された部分よりも、回動軸部５１ｂの径方向に突出した係止突起５１ｄが形成されている。
【００６５】
したがって、第１回動パーツ５１Ｒは、第三傾斜面５１ｃと第一傾斜面５４ｃとの係合により、第１スライドパーツ５４の移動に伴って、本実施形態で云う第１の回動方向Ｒ１に回動すると共に玩具表面側へ向かって第２のスライド方向Ｓ２に移動する。
【００６６】
第２回動パーツ５２Ｒは、玩具厚み方向に延びる第２回転軸線Ｃ２を中心に回動可能な第２アーム部５２ａと、第２アーム部５２ａの途中から第２アーム部５２ａに対し同一回転面上において交差して延出された第３アーム部５２ｂと、を備えている。
【００６７】
第２アーム部５２ａは、その先端には長孔５２ｅが設けられおり、第１回動パーツ５１Ｒの係合軸部５１ｅに係合している。したがって、第１回動パーツ５１Ｒの動きに付勢されて第１の回動方向Ｒ１とは逆向きの本実施形態で云う第２の回動方向Ｒ２に回動する。また、第３アーム部５２ｂの先端部には、玩具表側に向かって開口する断面Ｕ字状のＵ字係合部５２ｔが設けられている。また、第２回動パーツ５２Ｒは、所定の方向（図１３においては時計回りの方向、図１４において反時計回りの方向）に付勢されている。
【００６８】
第３回動パーツ５３Ｒは、玩具厚み方向に延出され且つ玩具前後方向に沿う第３回転軸線Ｃ３を中心に回動可能なＵ字胴部５３ａと、Ｕ字胴部５３ａの一端側に玩具左右方向に沿って突出する一対のボタン動作部４６，４８と、ボタン動作部４６，４８とは反対側（玩具裏側）に設けられた係合端部５３ｅと、を備えている。
【００６９】
ボタン動作部４６，４８は、ブック３０の第１起動ボタン３６ｂ及び第２起動ボタン３８ｆを動作させる。一方、係合端部５３ｅは、第３アーム部５２ｂのＵ字係合部５２ｔに係合している。したがって、第３回動パーツ５３Ｒは、第３アーム部５２ｂの回動により、第２回動パーツ５２Ｒの回動面とは略直交する本実施形態で云う第３の回動方向Ｒ３に回動する。
【００７０】
上記のごとく構成されたリンク機構５０の動作について、主に図１５及び図１６を参照して説明する。図１５は、リンク機構５０の作動前の状態を示す要部拡大斜視図である。図１６は、ロック機構が作動した状態を示す要部拡大斜視図である。
【００７１】
先ず、ブック３０をブック装着部２３に装着した状態で、操作トリガー１６を押す。この操作によって、第１スライドパーツ５４は、操作トリガー１６引っ張られるようにして玩具後端方向である第１のスライド方向Ｓ１に移動する。
【００７２】
この移動によって、図１５に示すように、第１回動パーツ５１Ｒは、第三傾斜面５１ｃが第一傾斜面５４ｃに押されて第１の回動方向Ｒ１に回動される。第２回動パーツ５２Ｒは、第１の回動方向Ｒ１に連動して第２の回動方向Ｒ２に回動される。更に、第３回動パーツ５３Ｒは、第２の回動方向Ｒ２に連動して第３の回動方向Ｒ３に回動される。
【００７３】
図１６に示すように、第１回動パーツ５１Ｒは、第１の回動方向Ｒ１の回動と同時に、第三傾斜面５１ｃが押されて、玩具表側方向である第２のスライド方向Ｓ２に移動する。この第２のスライド方向Ｓ２に移動の終段において、係止突起５１ｄが、ロックパーツ５９の先端５９ｅよりも玩具表側へ移動する。この結果、ロックパーツ５９の先端５９ｅが係止突起５１ｄの段部に係合する。要するに、ロックパーツ５９は、第１回動パーツ５１Ｒの方向に常時付勢されているので、係止突起５１ｄが軸線方向に移動することで先端５９ｅが係止突起５１ｄの段部に係合し、第１回動パーツ５１Ｒを玩具表側寄りの位置に拘束する。
【００７４】
このように、第１回動パーツ５１Ｒが玩具表側寄りの位置に拘束されると、例えば、操作トリガー１６を動作しても、ブック３０を動作できないロック状態となる。すなわち、第１スライドパーツ５４は、操作トリガー１６の操作によって玩具前後方向に動くが、係合凸部５１ｆの上方においてスライド移動するだけで第１回動パーツ５１Ｒに付勢力を付与することはできない。また、第１回動パーツ５１Ｒが拘束された際には、第１スライドパーツ５４による付勢が解除され、第１回動パーツ５１Ｒ、第２回動パーツ５２Ｒ及び第３回動パーツ５３Ｒは元の位置に戻る方向に回動する。したがって、この状態では、ボタン動作部４６，４８は動くことがなく、ブック３０の操作はできない状態である。
【００７５】
また、ロック状態の解除は、ロック解除パーツ５０Ｒによって行うことができる。このロック解除パーツ５０Ｒは、主玩具体１０の本体から一部が突出して設けられており（図１２参照）、これを押すことで、ロック解除をすることができる。
【００７６】
ロック解除パーツ５０Ｒについて、図１４に戻って説明する。
ロック解除パーツ５０Ｒは、例えば、ロックパーツ５９を一端側５６ｔが軸支し第４回転軸線Ｃ４を中心に回動する棒状の連結棒５６と、連結棒５６の他端側５６ｅに当接して一端側が主玩具体１０の外側に露出する操作部５５と、一端側の第５回転軸線５Ｃを中心に回動可能で他端側が操作部５５を軸支した支持棒５７と、を備えている。
【００７７】
ロック解除パーツ５０Ｒは、操作部５５を押すことで、ロックパーツ５９をその付勢力に抗して第１回動パーツ５１Ｒから離間させる。これにより、ロックパーツ５９の先端５９ｅによる係止突起５１ｄの係止が解除される。この結果、第１回動パーツ５１Ｒは、玩具裏側の方向に移動し、第１スライドパーツ５４と係合可能な状態に復帰する。
【００７８】
本実施形態の演出出力玩具１は、第１実施形態と同様の効果を奏することができる。
【００７９】
また、本実施形態においては、リンク機構５０は、操作トリガー１６の１回目の操作によって第１起動ボタン３６ｂ及び第２起動ボタン３８ｆを操作すると共に、第１回動パーツ５１Ｒの第２のスライド方向Ｓ２への移動によって第１回動パーツ５１Ｒが回動方向においてフリー状態になる。この結果、操作トリガー１６の２回目以降の操作では第１回動パーツ５１Ｒが動くことがなく、起動ボタンの操作が出来ない。
【００８０】
また、本実施形態においては、操作トリガー１６によるブック３０の操作のロック状態を解除するのは、ブック３０の着脱と連動することなく任意に行うことができる。
【００８１】
また、本実施形態においては、ロック解除パーツ５０Ｒは、連結棒５６を介して動作するよう構成されているので、例えば、操作部５５のロック解除の動作量（動作距離）と、ロックパーツ５９の動作量とを適宜調整することができる。
【００８２】
以上、本発明の第１及び第２実施形態について説明したが、本発明はその技術思想の範囲で適宜変更することができる。例えば、リンク機構４０，５０におけるリンク要素の形状につては適宜変更することができる。
【符号の説明】
【００８３】
１            演出出力玩具
１０          剣（主玩具体）
１６          操作トリガー
３０          ブック（副玩具体）
３６ｂ        第１起動ボタン（起動ボタン）
３８ｆ        第２起動ボタン（起動ボタン）
４０，５０    リンク機構
４０Ｒ        ロック解除部材
４６，４８    ボタン動作部
５０Ｒ        ロック解除パーツ（ロック解除部材）
５１Ｒ        第１回動パーツ
５２Ｒ        第２回動パーツ
５３Ｒ        第３回動パーツ
５４          第１スライドパーツ
５９          ロックパーツ
【要約】      （修正有）【課題】演出制御の正確性に優れ興趣性の高い演出出力玩具を提供する。【解決手段】演出出力玩具は、演出を起動する起動ボタンを備える副玩具体と、副玩具体の着脱が可能な主玩具体と、を備え、主玩具体は、起動ボタンを動作させるボタン動作部４６，４８と、リンク機構４０と、リンク機構４０を介してボタン動作部４６，４８を駆動する操作トリガー１６と、を有し、リンク機構４０は、操作トリガー１６による一回目の前記ボタン動作部４６，４８の駆動と同時に、操作トリガー１６によるボタン動作部４６，４８の操作を無効とするロック機構を備える。【選択図】図５【図１】
0006983291.tif 000002
【図２】
0006983291.tif 000003
【図３】
0006983291.tif 000004
【図４】
0006983291.tif 000005
【図５】
0006983291.tif 000006
【図６】
0006983291.tif 000007
【図７】
0006983291.tif 000008
【図８】
0006983291.tif 000009
【図９】
0006983291.tif 000010
【図１０】
0006983291.tif 000011
【図１１】
0006983291.tif 000012
【図１２】
0006983291.tif 000013
【図１３】
0006983291.tif 000014
【図１４】
0006983291.tif 000015
【図１５】
0006983291.tif 000016
【図１６】
0006983291.tif 000017